(57)【特許請求の範囲】
【請求項１】
外部装置と通信を行うことによって、該外部装置からの情報を管理する情報管理装置であって、
上記外部装置における資源の残量状況を示す資源残量情報を受信する受信手段と、
時刻を計時する計時手段と、
上記受信手段が受信した上記資源残量情報と、該資源残量情報を受信したときに上記計時手段が計時した受信時刻情報とを用いて、上記外部装置における資源が残量不足であることを警告する時刻である警告時刻を推定する警告時刻推定手段と、
上記警告時刻推定手段が推定した警告時刻になったとき、上記外部装置における資源が残量不足であることを警告するための警告情報を通知する通知制御手段と、を備え、
上記外部装置における資源には、当該資源の残量が回復するまでに時間を要する第１資源と、当該回復までに時間を要しない第２資源とがあり、
上記警告時刻推定手段は、上記資源が上記第１資源および上記第２資源のいずれであるかに従って、上記警告時刻の推定を行うことを特徴とする情報管理装置。
【請求項２】
上記受信手段が、上記外部装置において上記資源残量情報が取得されたときの、該外部装置によって計時された時刻を示す時刻情報を受信できた場合、
上記警告時刻推定手段は、上記受信手段が受信した時刻情報を上記計時手段が計時した受信時刻情報の代わりとして用いることを特徴とする請求項１に記載の情報管理装置。
【請求項３】
上記外部装置とは分離されていることを特徴とする請求項１または２に記載の情報管理装置。
【請求項４】
上記受信手段は、上記外部装置がユーザに装着されたときの装着位置、または上記外部装置が設置されている設置位置を示す位置情報を受信し、
上記通知制御手段は、上記位置情報を上記警告情報と共に通知することを特徴とする請求項１から３の何れか１項に記載の情報管理装置。
【請求項５】
上記資源残量情報には、上記外部装置に備えられた電力供給源のバッテリ残量を示すバッテリ残量情報、該外部装置に備えられた記憶手段の記憶容量残量を示す記憶容量残量情報、該外部装置で用いられる試料の試料残量を示す試料残量情報、および該外部装置で用いられる素子の素子寿命を示す素子寿命情報の何れかが含まれることを特徴とする請求項１から４の何れか１項に記載の情報管理装置。
【請求項６】
上記受信手段は、上記外部装置と散発的に接続される通信路を用いて通信を行うことを特徴とする請求項１から５の何れか１項に記載の情報管理装置。
【請求項７】
上記通知制御手段は、上記警告情報を通知するときの通知形態を決定することを特徴とする請求項１から６の何れか１項に記載の情報管理装置。
【請求項８】
上記通知制御手段は、上記警告情報に応じたユーザの行動形態を示すアドバイス情報を、該警告情報と共に通知することを特徴とする請求項１から７の何れか１項に記載の情報管理装置。
【請求項９】
上記受信手段は、上記外部装置の種別を示す外部装置種別情報を受信し、
上記通知制御手段は、上記外部装置種別情報に対応付けて上記警告情報を通知することを特徴とする請求項１から８の何れか１項に記載の情報管理装置。
【請求項１０】
上記外部装置にて測定される生体情報を管理する生体情報管理装置であることを特徴とする請求項１から９の何れか１項に記載の情報管理装置。
【請求項１１】
携帯型情報端末によって実現されることを特徴とする請求項１から１０の何れか１項に記載の情報管理装置。
【請求項１２】
外部装置と通信を行うことによって、該外部装置からの情報を管理する情報管理装置の制御方法であって、
上記外部装置における資源の残量状況を示す資源残量情報を受信する受信ステップと、
時刻を計時する計時ステップと、
上記受信ステップにて受信した上記資源残量情報と、該資源残量情報を受信したときに上記計時ステップにて計時した受信時刻情報とを用いて、上記外部装置における資源が残量不足であることを警告する時刻である警告時刻を推定する警告時刻推定ステップと、
上記警告時刻推定ステップにて推定した警告時刻になったとき、上記外部装置における資源が残量不足であることを警告するための警告情報を通知する通知制御ステップと、を含み、
上記外部装置における資源には、当該資源の残量が回復するまでに時間を要する第１資源と、当該回復までに時間を要しない第２資源とがあり、
上記警告時刻推定ステップでは、上記資源が上記第１資源および上記第２資源のいずれであるかに従って、上記警告時刻の推定を行うことを特徴とする情報管理装置の制御方法。
【請求項１３】
請求項１２に記載の情報管理装置の制御方法をコンピュータに実行させることを特徴とする情報管理プログラム。
【発明の詳細な説明】
【技術分野】
【０００１】
本発明は、ユーザが適切なタイミングでリソースの交換、充電、補充等を行うことが可能な情報管理装置、情報管理装置の制御方法および情報管理プログラムに関する。
【背景技術】
【０００２】
従来、例えば生体情報を測定する測定機器には、電池等のバッテリから供給される電力によって作動するものがある。この測定機器では、作動に必要な電力供給ができなくなる程度にバッテリ残量が少なくなると使用不可となるため、この段階でバッテリの交換または充電が必要となる。携帯電話等の携行可能な電子機器においても、同様に、適宜バッテリに充電を行う必要がある。また、例えば家庭、オフィス等で照明器具として使用される蛍光灯には、フィラメント等の素子が使用されている。この場合も、素子寿命のために、使用不可となった時点で新たな蛍光灯に交換する必要がある。
【０００３】
このように、電子機器のユーザは、バッテリ残量、素子寿命等（リソース残量）を考慮して使用する必要があり、従来から電子機器のリソース状況を監視する方法が開示されている。
【０００４】
例えば、特許文献１には、バッテリ切れの不安を解消でき、予備バッテリの携行や大型バッテリの使用を回避でき、かつ患者が安心して外出できるようにするバッテリ駆動可搬型呼吸用気体供給装置の手配方法が開示されている。
【０００５】
具体的には、上記手配方法は、バッテリ駆動可搬型呼吸用気体供給装置（以降、気体供給装置と称す）と、特定情報検出装置と、バッテリ情報サービス装置と、バッテリステーションと、気体供給装置を使用するユーザおよび／または充電済バッテリを該ユーザに配達する配達者が有する携帯電話と、を含むバッテリ手配システムにより実現されている。
【０００６】
特定情報検出装置は、気体供給装置のバッテリ残電力量が所定の閾値を下回ると、該バッテリ残量が所定の閾値を下回ったことを示す情報をバッテリ情報サービス装置に送信する。そして、バッテリ情報サービス装置は、上記情報と該気体供給装置の地理的位置情報とから、充電済バッテリの配達が可能な特定のバッテリステーションを選択する。選択されたバッテリステーションは、必要な情報を気体供給装置のユーザの携帯電話および／または該ユーザに充電済バッテリを配達する配達者の携帯電話に送信する。
【０００７】
また、特許文献２には、消費電力を削減することができると共に、生体情報計測端末が電源電圧の低下によって動作不能となり、生体情報の計測が不可となることを回避できる、生体情報計測端末および生体情報受信端末を含む生体情報計測システムが開示されている。
【０００８】
具体的には、生体情報計測端末または生体情報受信端末は、被験者の生体情報を計測する間隔を決定する計測間隔決定手段と、被験者の生体情報を計測する時間を決定する計測時間決定手段と、電池の残量の計測・判定を行う電池残量計測手段とを備える構成となっている。上記計測間隔決定手段と計測時間決定手段とは、電池残量計測手段によって生体情報計測端末の電池残量が閾値よりも下回ったと判断されたときに、計測する時間間隔（測定間隔）と計測する時間（測定時間）とを決定する。この構成により、上記生体情報計測システムでは、生体情報計測端末の電池残量が低下したときには電池残量に合わせた測定間隔および測定時間に変更するので、該生体情報計測端末が測定不可となる状態を回避することができる。
【特許文献１】特開２００４−２９８３２６号公報（２００４年１０月２８日公開）
【特許文献２】特開２００４−２３０１５２号公報（２００４年８月１９日公開）
【発明の開示】
【発明が解決しようとする課題】
【０００９】
しかしながら、特許文献１のバッテリ手配システムでは、所定の閾値を下回ったときに次動作としてバッテリ交換の手配を決定している。すなわち、特許文献１の技術では、気体供給装置のバッテリ交換を目的としており、バッテリ情報サービス装置が気体供給装置以外の電子機器のバッテリ交換を行うことについては考慮されていない。また、特許文献１の技術では、バッテリ残量以外のリソース残量、すなわちメモリの記憶容量の残量、使用される薬品等の試料残量（生体情報を測定する測定装置の場合）等の様々なリソース残量については考慮されていない。
【００１０】
ここで、例えば生体情報を測定する測定機器の場合、該測定機器の中には、バッテリ残量が所定の閾値を下回っても測定が不可能となるまで長期間（例えば１週間）の余裕があるものもある。従って、特許文献１の技術のように、所定の閾値を下回ったときに次動作を決定したとしても、決定したタイミングがリソースの交換または充填の適切なタイミングではない場合もある。すなわち、特許文献１の技術では、ユーザが様々な電子機器のリソース状況または特定の電子機器の様々なリソース状況を適切なタイミングで認識することが困難である。
【００１１】
また、特許文献２の技術では、電池残量が少なくなった場合に生体情報の測定間隔または測定時間を変更しているが、生体情報計測端末が測定するデータの種類によっては、測定間隔または測定時間の変更を行うことが困難になる。
【００１２】
例えば、生体情報計測端末が心電データを得るための測定を行っているときに、生体情報計測端末の電池残量が閾値よりも下回った場合、該測定が例えば連続測定から３０秒おきの測定に変更されたとする。もし心臓に問題を抱えている被験者の測定においてこのように測定間隔が変更された場合には、この変更によって被験者の状態変化が見落とされてしまう可能性がある。すなわち、３０秒おきの測定となることにより、生体情報計測端末は、心電データを取りこぼしてしまう可能性が高くなる。
【００１３】
つまり、特許文献２の技術では、電池残量を考慮して測定間隔または測定時間の変更を行っているが、この変更によって生体情報の測定に影響を及ぼす虞がある。従って、特許文献２の技術では、測定条件を変更せずにユーザに対してリソース状況を適切なタイミングで把握させることは困難である。
【００１４】
本発明は、上記問題点に鑑みてなされたものであり、その目的は、電子機器（外部装置）の本来の機能を損なうことなく、ユーザが適切なタイミングでリソースの交換、充電、補充等を行うことが可能な情報管理装置、情報管理装置の制御方法および情報管理プログラムを提供することにある。
【課題を解決するための手段】
【００１５】
本発明に係る情報管理装置は、上記課題を解決するため、外部装置と通信を行うことによって、該外部装置からの情報を管理する情報管理装置であって、上記外部装置における資源の残量状況を示す資源残量情報を受信する受信手段と、時刻を計時する計時手段と、上記受信手段が受信した上記資源残量情報と、該資源残量情報を受信したときに上記計時手段が計時した受信時刻情報とを用いて、上記外部装置における資源が残量不足であることを警告する時刻である警告時刻を推定する警告時刻推定手段と、上記警告時刻推定手段が推定した警告時刻になったとき、上記外部装置における資源が残量不足であることを警告するための警告情報を通知する通知制御手段と、を備えている。
【００１６】
本発明に係る情報管理装置の制御方法は、上記課題を解決するため、外部装置と通信を行うことによって、該外部装置からの情報を管理する情報管理装置の制御方法であって、上記外部装置における資源の残量状況を示す資源残量情報を受信する受信ステップと、時刻を計時する計時ステップと、上記受信ステップにて受信した上記資源残量情報と、該資源残量情報を受信したときに上記計時ステップにて計時した受信時刻情報とを用いて、上記外部装置における資源が残量不足であることを警告する時刻である警告時刻を推定する警告時刻推定ステップと、上記警告時刻推定ステップにて推定した警告時刻になったとき、上記外部装置における資源が残量不足であることを警告するための警告情報を通知する通知制御ステップと、を含む。
【００１７】
上記構成によれば、警告時刻推定手段は、受信手段が受信した、通信を行う外部装置における資源の残量状況を示す資源残量情報と、該資源残量情報を受信したときに計時手段が計時した受信時刻情報とを用いて、該外部装置における資源が残量不足であることを警告する時刻である警告時刻を推定する。そして、通知制御手段は、警告時刻推定手段で推定した警告時刻になったときに、該外部装置における資源が残量不足であることを警告するための警告情報を通知する。
【００１８】
これにより、情報管理装置は、外部装置の本来の機能を損なうことなく、適切なタイミングで、外部装置における資源が残量不足であることをユーザに対して警告することができる。従って、ユーザは、適切なタイミングで外部装置における資源の交換、充電、補充等を行うことができるため、該資源の欠乏を確実に回避することができる。
【００１９】
また、外部装置における資源の交換、充電、補充等を行うことを警告するための機能（外部に通知する通知機能）を有していない場合であっても、情報管理装置は、適切なタイミングで、ユーザに対して該警告の通知を行うことができる。
【００２０】
つまり、情報管理装置は、外部装置の状態（電源のオン／オフ、通知機能の有無等）によらずに、ユーザに対して上記警告の通知を行うことができる。従って、情報管理装置は、従来から使用されている外部装置であっても、該外部装置における資源の欠乏を確実に回避することができる。
【００２１】
さらに、本発明に係る情報管理装置は、上記受信手段は、上記外部装置において上記資源残量情報が取得されたときの、該外部装置によって計時された時刻を示す時刻情報を受信し、上記警告時刻推定手段は、上記受信手段が受信した時刻情報を受信時刻情報として用いてもよい。
【００２２】
上記構成によれば、通信を行う外部装置が計時機能を有している場合、受信手段は、該外部装置において資源残量情報が取得されたときの、該計時機能で計時された時刻を示す時刻情報を受信する。そして、警告時刻推定手段は、該時刻情報を受信時刻情報として用いて、警告時刻を推定する。
【００２３】
この場合であっても、情報管理装置は、適切なタイミングで、外部装置における資源が残量不足であることをユーザに対して警告することができる。従って、ユーザは、適切なタイミングで外部装置における資源の交換、充電、補充等を行うことができるため、該資源の欠乏を確実に回避することができる。
【００２４】
さらに、本発明に係る情報管理装置は、上記外部装置とは分離されていてもよい。上記構成によれば、情報管理装置と外部装置とが分離された構成となっているので、ユーザは、外部装置の操作を行うことなく、該外部装置における資源の残量状況を容易に把握することができる。
【００２５】
さらに、本発明に係る情報管理装置は、上記受信手段は、上記外部装置がユーザに装着されたときの装着位置、または上記外部装置が設置されている設置位置を示す位置情報を受信し、上記通知制御手段は、上記位置情報を上記警告情報と共に通知してもよい。
【００２６】
上記構成によれば、通知制御手段は、受信手段が受信する外部装置の装着位置または設置位置を示す位置情報を、警告情報と共に通知する。これにより、情報管理装置は、外部装置の装着位置または設置位置をユーザに認識させることができる。すなわち、ユーザは、外部装置の装着位置または設置位置を容易に把握することができる。
【００２７】
さらに、本発明に係る情報管理装置は、上記資源残量情報には、上記外部装置に備えられた電力供給源のバッテリ残量を示すバッテリ残量情報、該外部装置に備えられた記憶手段の記憶容量残量を示す記憶容量残量情報、該外部装置で用いられる試料の試料残量を示す試料残量情報、および該外部装置で用いられる素子の素子寿命を示す素子寿命情報の何れかが含まれてもよい。
【００２８】
上記構成によれば、情報管理装置は、資源残量情報には、外部装置に備えられた電源供給源（電池、電源等）もしくは記憶手段、または外部装置で用いられる試料もしくは素子の残量情報が含まれる。これにより、情報管理装置は、受信したこれら資源の残量情報を用いて警告時刻を推定し、該警告時刻にこれら資源が残量不足であることをユーザに対して警告することができる。従って、ユーザは、適切なタイミングで資源の交換、充電、補充等を行うことができるため、該資源の欠乏を確実に回避することができる。
【００２９】
さらに、本発明に係る情報管理装置は、上記受信手段は、上記外部装置と散発的に接続される通信路を用いて通信を行ってもよい。
【００３０】
上記構成によれば、情報管理装置は、例えば外部装置に近づいたときだけ該外部装置と接続を行うような場合であっても、適切なタイミングでユーザに対して上記警告の通知を行うことができる。また、情報管理装置は、外部装置と常時接続を用いた通信を行う場合に比べ、情報管理装置の電源供給源の消費電力を抑制することができる。
【００３１】
さらに、本発明に係る情報管理装置は、上記通知制御手段は、上記警告情報を通知するときの通知形態を決定してもよい。
【００３２】
上記構成によれば、通知制御手段は、例えば表示、振動、音（音声）および発光の何れの通知形態を用いるかを決定し、該決定した通知形態にて警告情報の通知を行う。これにより、情報管理装置は、ユーザに対して感覚的な警告通知を行うことができる。
【００３３】
さらに、本発明に係る情報管理装置は、上記警告情報に応じたユーザの行動形態を示すアドバイス情報を、該警告情報と共に通知してもよい。
【００３４】
上記構成によれば、通知制御手段は、警告情報に応じたユーザの行動形態を示すアドバイス情報を、該警告情報と共にユーザに通知する。従って、ユーザは、各資源に応じたアドバイス情報の通知により、混乱することなく容易に外部装置における資源の交換、充電、補充等を行うことができる。
【００３５】
さらに、本発明に係る情報管理装置は、上記受信手段は、上記外部装置の種別を示す外部装置種別情報を受信し、上記通知制御手段は、上記外部装置種別情報に対応付けて上記警告情報を通知してもよい。
【００３６】
上記構成によれば、通知制御手段は、受信手段が受信した外部装置種別情報に対応付けて警告情報を通知する。このため、情報管理装置は、警告すべき資源を有する外部装置を確実に特定することができるので、ユーザに対してより確実な警告の通知を行うことができる。これは、情報管理装置が例えば複数の外部装置と通信を行っているときに有効である。
【００３７】
さらに、本発明に係る情報管理装置は、上記外部装置にて測定される生体情報を管理する生体情報管理装置であってもよい。
【００３８】
上記構成によれば、情報管理装置は、外部装置が生体情報を測定する生体情報測定機器である場合には、該生体情報測定機器で測定される生体情報を受信し、該生体情報を管理する生体情報管理装置となる。
【００３９】
この場合であっても、情報管理装置は、適切なタイミングで、外部装置における資源が残量不足であることをユーザに対して警告することができる。従って、ユーザは、適切なタイミングで外部装置における資源の交換、充電、補充等を行うことができるため、該資源の欠乏を確実に回避することができる。
【００４０】
なお、上記の場合、外部装置において、例えば生体情報が測定されたとき（または測定されて外部装置の記憶手段に記憶されたとき）の時刻を上記時刻情報としてもよい。この場合、情報管理装置では、警告時刻推定手段が、受信手段が受信するこの時刻情報を用いて警告時刻を推定することとなる。
【００４１】
さらに、本発明に係る情報管理装置は、携帯型情報端末によって実現されてもよい。上記構成によれば、ユーザは、情報管理装置を携行する機会が多くなるため、外出等によって外部装置から離れている場合であっても、警告時刻推定手段が推定した警告時刻に、通知制御手段による警告の通知を受けることができる。
【００４２】
さらに、本発明に係る情報管理プログラムは、上記に記載の情報管理装置の制御方法をコンピュータに実行させてもよい。上記構成によれば、コンピュータを用いて本発明の情報管理装置の制御方法と同様の作用効果を得ることができる。
【発明の効果】
【００４３】
本発明に係る情報管理装置は、以上のように、上記外部装置における資源の残量状況を示す資源残量情報を受信する受信手段と、時刻を計時する計時手段と、上記受信手段が受信した上記資源残量情報と、該資源残量情報を受信したときに上記計時手段が計時した受信時刻情報とを用いて、上記外部装置における資源が残量不足であることを警告する時刻である警告時刻を推定する警告時刻推定手段と、上記警告時刻推定手段が推定した警告時刻になったとき、上記外部装置における資源が残量不足であることを警告するための警告情報を通知する通知制御手段と、を備えた構成である。
【００４４】
また、本発明に係る情報管理装置の制御方法は、以上のように、上記外部装置における資源の残量状況を示す資源残量情報を受信する受信ステップと、時刻を計時する計時ステップと、上記受信ステップにて受信した上記資源残量情報と、該資源残量情報を受信したときに上記計時ステップにて計時した受信時刻情報とを用いて、上記外部装置における資源が残量不足であることを警告する時刻である警告時刻を推定する警告時刻推定ステップと、上記警告時刻推定ステップにて推定した警告時刻になったとき、上記外部装置における資源が残量不足であることを警告するための警告情報を通知する通知制御ステップと、を含む方法である。
【００４５】
それゆえ、情報管理装置は、外部装置の本来の機能を損なうことなく、適切なタイミングで、外部装置における資源が残量不足であることをユーザに対して警告することができる。従って、ユーザは、適切なタイミングで外部装置における資源の交換、充電、補充等を行うことができるため、該資源の欠乏を確実に回避することができる。
【発明を実施するための最良の形態】
【００４６】
〔生体情報管理システムの概要〕
本発明の一実施形態について図１〜図１０に基づいて説明すると以下の通りである。ここでは、本発明の具体的な実施形態として、生体情報を測定する生体情報測定機器と、該生体情報測定機器が測定した生体情報を受信して該生体情報を管理する生体情報管理端末とを含む生体情報管理システムについて説明する。
【００４７】
図２は、生体情報を測定および管理する生体情報管理システム１の全体的な概略構成を示す構成図である。図２に示すように、生体情報管理システム１は、生体情報管理端末（情報管理装置）Ａおよび生体情報測定機器（外部装置）Ｂとで構成され、該生体情報管理端末Ａと生体情報測定機器Ｂとは、無線通信または有線通信にて通信を行っている。なお、該通信が無線通信である場合には、Ｂｌｕｅｔｏｏｔｈ（登録商標）、Ｚｉｇｂｅｅ（登録商標）、特定小電力無線等の通信規格が利用されている。
【００４８】
生体情報管理端末Ａは、生体情報測定機器Ｂから通信により受信した生体情報、測定日時を示す測定時刻情報（時刻情報）等を管理し、例えば管理された生体情報に基づいて、診断結果の提示または健康に関するアドバイスをユーザ（または被験者）に対して行うためのものである。また、本実施形態に係る生体情報管理端末Ａは、生体情報測定機器Ｂにおいて測定される生体情報および測定時刻情報と、該生体情報管理端末Ａで計時される時刻とに基づいて、生体情報測定機器Ｂのリソースの交換、充電、補充等の時期を推定する推定機能を有する。なお、生体情報管理端末Ａの具体的な構成については後述する。
【００４９】
なお、本実施形態に係る生体情報管理端末Ａは、例えばＰＤＡ（personal digital assistance）、携帯電話等の携帯型情報端末によって実現されているが、これに限らず、モバイルＰＣ、携帯型のゲーム機器等の携帯型情報端末、または通信機能を備えた腕時計等のウェアラブル機器であってもよい。また、生体情報管理端末Ａは、ＰＣ（personal computer）、ＳＴＢ（set top box）、テレビ受像機等の情報端末であってもよい。すなわち、生体情報管理端末Ａは、生体情報測定機器Ｂで得られる生体情報および測定時刻情報を、少なくとも受信、管理、および該生体情報に基づくアドバイス情報等の提示を行うことが可能な機器であればよい。
【００５０】
生体情報測定機器Ｂは、ユーザの血圧・血糖値・体温・心電・尿・体組成・体重・歩数等の生体情報を測定する測定機器であり、１つまたは複数の測定機器によって実現される。なお、生体情報測定機器Ｂが複数存在する場合には、複数の生体情報測定機器ＢをＢ（ｎ）と称するものとする。なお、生体情報測定機器Ｂは、生体情報を測定可能で、かつ、生体情報管理端末Ａと通信可能であればどのような機器の形態でもよく、例えばノートＰＣ等で実現されていてもよい。
【００５１】
〔生体情報測定機器Ｂの概略構成〕
次に、生体情報測定機器Ｂの概略構成について、図３を用いて説明する。図３は、図２に示す生体情報管理システム１に含まれる生体情報測定機器Ｂの概略構成を示す機能ブロック図である。
【００５２】
生体情報測定機器Ｂは、上述のように、ユーザの生体情報を測定して、該生体情報を生体情報管理端末Ａに送信するものであり、計時部Ｂ１、測定部Ｂ２、記憶部Ｂ３、操作部Ｂ４、通知部Ｂ５、通信部Ｂ６および制御部Ｂ７を備えている。
【００５３】
計時部Ｂ１は、時計機能を有し、時刻を計時するものである。
【００５４】
測定部Ｂ２は、ユーザの血圧・血糖値・体温・心電・尿・体組成・体重・歩数等の生体情報を測定するものである。図２に示す生体情報管理システム１に複数の生体情報測定機器Ｂ（ｎ）が含まれる場合には、各生体情報測定機器Ｂで各生体情報の測定が行われる。すなわち、各生体情報測定機器Ｂの測定部Ｂ２は、それぞれ異なった生体情報を測定を行う。
【００５５】
記憶部Ｂ３は、制御部Ｂ７で使用されるデータ、プログラム等を格納している。例えば、記憶部Ｂ３は、測定部Ｂ２によって測定された生体情報、測定時刻情報、リソース残量情報（資源残量情報）、生体情報測定機器Ｂの種別を示す機器種別情報（外部装置種別情報）、測定位置を示す測定位置情報（位置情報）等を記憶している。
【００５６】
なお、生体情報測定機器Ｂの種別とは、例えば血圧計、歩数計、体温計等を指す。また、測定位置とは、ユーザの手首、耳朶、親指等に生体情報測定機器Ｂが装着されているときの装着位置または生体情報測定機器Ｂが設置されている設置位置を示す。
【００５７】
また、リソース残量情報とは、該生体情報測定機器Ｂに備えられた電力供給源である電池、電源等（以降、バッテリと称す）のバッテリ残量を示すバッテリ残量情報等、ユーザが交換、充電、補充等を行う必要のある生体情報測定機器Ｂのリソース（資源）の残量を示す情報を指す。すなわち、リソース残量情報としては、この他にも、記憶部（記憶手段）Ｂ３の記憶容量の残量を示す記憶容量残量情報、上記生体情報の測定に用いられる試料の残量を示す試料残量情報、該測定に用いられる素子（フィラメント、感圧素子等）の寿命を示す素子寿命情報等が挙げられる。また、リソース残量情報には、バッテリ、記憶部Ｂ３等のリソース（パラメータ）の名称も含まれている。
【００５８】
なお、記憶部Ｂ３は、例えば、ＥＥＰＲＯＭ（electrically erasable programmable read-only memory）やフラッシュメモリ等、書換え可能な不揮発性メモリによって実現されても、揮発性メモリであるＲＡＭ（random access memory）によって実現されてもよい。
【００５９】
操作部Ｂ４は、生体情報測定機器Ｂの各機能を操作するために、ユーザの操作による入力操作を取得することが可能な構成となっている。例えば、操作部Ｂ４は、テンキー、カーソル、マウス、タッチパネル等によって実現されている。また、操作部Ｂ４は、取得した入力操作を制御部Ｂ７に送信する。
【００６０】
通知部Ｂ５は、操作部Ｂ４が取得した入力操作、測定部Ｂ２によって測定された生体情報等を通知するための機能を有する。
【００６１】
通信部Ｂ６は、生体情報管理端末Ａと通信を行う機能を有する。例えば、通信部Ｂ６は、操作部Ｂ４によって取得された入力操作（例えば、生体情報管理端末Ａへのデータ送信を示す入力操作）に基づいて、記憶部Ｂ３に記憶されている生体情報、測定時刻情報、リソース残量情報、機器種別情報、測定位置情報等を生体情報管理端末Ａに送信する。また、複数の生体情報測定機器Ｂ（ｎ）の場合、各通信部Ｂ６には、生体情報管理端末Ａへ上記情報を送信する機能が備えられているため、共通の通信規格が利用されている。
【００６２】
制御部Ｂ７は、生体情報測定機器Ｂの処理全体を制御するものであり、特に上記計時部Ｂ１、測定部Ｂ２、記憶部Ｂ３、操作部Ｂ４、通知部Ｂ５および通信部Ｂ６の各機能ブロックをそれぞれ制御する。そして、制御部Ｂ７は、これらの各機能ブロックを制御するための機能ブロック（図示しない）を有している。なお、制御部Ｂ７に備えられた各機能ブロックは、例えば、該制御部Ｂ７としてのＣＰＵがＲＯＭ（read only memory）等に記憶されているプログラムをＲＡＭ等に読み出し実行することにより実現できる。
【００６３】
例えば、ユーザが生体情報の測定を行う場合、制御部Ｂ７は、操作部Ｂ４からユーザが測定を行うことを示す入力操作を取得すると、測定部Ｂ２に測定を開始することを示す測定開始信号を送信する。測定部Ｂ２は、この測定開始信号を受信することにより、ユーザの生体情報の測定を行う。また、制御部Ｂ７は、測定部Ｂ２に測定開始信号を送信するときに、計時部Ｂ１によって計時された時刻を測定時刻情報として取得し、該測定時刻情報を記憶部Ｂ３に記憶する。なお、測定時刻情報の取得は、測定開始信号を送信したときに限らず、例えば測定部Ｂ２による測定が完了したときでもよい。
【００６４】
そして、測定部Ｂ２は、生体情報の測定を完了すると、測定された生体情報を制御部Ｂ７に送信する。制御部Ｂ７は、測定部Ｂ２から生体情報を受信すると、該生体情報を記憶部Ｂ３に記憶する。また、制御部Ｂ７は、測定時刻情報を取得するときに、バッテリ残量を示すバッテリ残量情報等のリソース残量情報を、例えば該測定時刻情報と関連付けて記憶部Ｂ３に記憶する。
【００６５】
その後、例えば操作部Ｂ４が、記憶部Ｂ３に記憶されたこれらの情報を生体情報管理端末Ａに送信することを示す入力操作を取得すると、該入力操作を制御部Ｂ７に送信する。そして、制御部Ｂ７は、この入力操作を取得すると、記憶部Ｂ３に記憶された上記情報を読み出し、通信部Ｂ６から生体情報管理端末Ａに送信させる。
【００６６】
〔生体情報管理端末Ａの概略構成〕
次に、生体情報管理端末Ａの概略構成について、図１を用いて説明する。図１は、本発明に係る生体情報管理端末Ａの概略構成を示す機能ブロック図である。
【００６７】
本発明に係る生体情報管理端末Ａは、上述のように、生体情報測定機器Ｂから受信した測定機器情報を管理することで、リソースの交換、充電、補充等が必要となる時刻を推定する。そして、生体情報管理端末Ａは、推定した時刻（警告時刻）になると、リソースの交換、充電、補充等を促すための警告情報をユーザに通知する。生体情報管理端末Ａは、計時部（計時手段）Ａ１、記憶部Ａ２、操作部Ａ３、通知部（通知制御手段）Ａ４、通信部（受信手段）Ａ５および制御部Ａ６を備えている。
【００６８】
ここで、測定機器情報とは、生体情報、測定時刻情報、リソース残量情報（バッテリ残量情報、記憶容量残量情報、試料残量情報、素子寿命情報等）、機器種別情報、測定位置情報等の生体情報測定機器Ｂから得られる情報の総称である。すなわち、測定機器情報には、上記全ての情報が含まれていなくてもよく、上記情報の何れかが含まれていればよい。
【００６９】
計時部Ａ１は、時計機能を有し、時刻を計時するものである。また、計時部Ａ１は、後述の通知制御部Ａ６６が警告通知を行うときの時間を管理する場合には、通知制御部Ａ６６からの計時指示により計時を行う。
【００７０】
記憶部Ａ２は、制御部Ａ６で使用されるデータ、プログラム等を格納している。例えば、記憶部Ａ２は、生体情報測定機器Ｂから受信した測定機器情報、後述の警告時刻推定部Ａ６３が求めた警告時刻および欠乏時刻等を記憶している。
【００７１】
なお、記憶部Ａ２は、例えば、ＥＥＰＲＯＭ（electrically erasable programmable read-only memory）やフラッシュメモリ等、書換え可能な不揮発性メモリによって実現されても、揮発性メモリであるＲＡＭ（random access memory）によって実現されてもよい。
【００７２】
操作部Ａ３は、生体情報管理端末Ａの各機能を操作するために、ユーザの操作による入力操作を取得することが可能な構成となっている。例えば、操作部Ａ３は、テンキー、カーソル、マウス、タッチパネル等によって実現されている。また、操作部Ａ３は、取得した入力操作を制御部Ａ６に送信する。
【００７３】
通知部Ａ４は、操作部Ａ３が取得した入力操作、診断結果の提示または健康に関するアドバイスをユーザに通知するものである。また、通知部Ａ４は、後述の通知制御部Ａ６６によって制御されており、警告時刻になると、リソースの交換、充電、補充等を促すための警告情報をユーザに通知するものである。
【００７４】
通知部Ａ４は、表示、振動、音（音声）または振動を行うことができる部材（ディスプレイ、スピーカー等）によって構成されている。なお、生体情報管理端末Ａは、通知部Ａ４が振動することによって、該生体情報管理端末Ａ全体が振動するように構成されていてもよい。
【００７５】
通信部Ａ５は、生体情報測定機器Ｂと通信を行う機能を有する。通信部Ａ５は、該生体情報測定機器Ｂから測定機器情報を受信すると、該測定機器情報を制御部Ａ６に送信する。また、通信部Ａ５は、生体情報測定機器Ｂとの通信を行う他に、携帯型情報端末等（例えば、他の生体情報管理端末Ａ）と通信を行う機能を有する。
【００７６】
なお、通信部Ａ５は、生体情報測定機器Ｂまたは携帯型情報端末と通信を行う場合、連続的にデータ通信を行う構成であってもよいが、例えば操作部Ａ３が取得する入力操作によって、散発的に接続される通信路を用いて通信を行ってもよい。通信部Ａ５が散発的な通信を行う場合には、生体情報管理端末Ａのバッテリの消費電力を抑制することが可能となる。
【００７７】
制御部Ａ６は、生体情報管理端末Ａの処理全体を制御するものであり、特に上記計時部Ａ１、記憶部Ａ２、操作部Ａ３、通知部Ａ４および通信部Ａ５の各機能ブロックをそれぞれ制御する。そして、制御部Ａ６は、これらの各機能ブロックを制御するための機能ブロック（図示しない）を有している。なお、制御部Ｂ７に備えられた各機能ブロックは、例えば、該制御部Ｂ７としてのＣＰＵがＲＯＭ（read only memory）等に記憶されているプログラムをＲＡＭ等に読み出し実行することにより実現できる。
【００７８】
さらに、制御部Ａ６は、機能ブロックとして、情報管理部（受信手段）Ａ６１、情報判定部Ａ６２、警告時刻推定部（警告時刻推定手段）Ａ６３、警告時刻判定部Ａ６４、警告時刻設定部Ａ６５および通知制御部（通知制御手段）Ａ６６を備えている。なお、各機能ブロックの具体的な処理については後述する。
【００７９】
情報管理部Ａ６１は、生体情報管理端末Ａによって得られる情報を管理するものである。例えば、情報管理部Ａ６１は、生体情報測定機器Ｂから送信される測定機器情報を、通信部Ａ５を介して受信し、該測定機器情報を記憶部Ａ２に記憶する。
【００８０】
情報判定部Ａ６２は、記憶部に記憶された測定機器情報を用いて警告時刻の推定を行うことが可能であるか否かを判定する。すなわち、情報判定部Ａ６２は、記憶部Ａ２から読み出した測定機器情報に、警告時刻の推定に必要な情報が含まれているか否かを判定する。また、情報判定部Ａ６２は、後述の警告時刻推定部Ａ６３による警告時刻の推定方法によっては、上記測定機器情報が初回受信であるか否かについても判定する。
【００８１】
警告時刻推定部Ａ６３は、測定時刻情報およびリソース残量情報を用いて、通知部Ａ４にてユーザに対してリソースの交換、充電、補充等の警告通知を行う時刻として警告時刻を求める。また、警告時刻推定部Ａ６３は、各リソースが欠乏する時刻（欠乏時刻）も求める。
【００８２】
警告時刻判定部Ａ６４は、警告時刻推定部Ａ６３が求めた警告時刻が妥当な時刻であるか否かを判定する。このとき、警告時刻判定部Ａ６４は、記憶部Ａ２および記憶部Ｂ３の少なくとも一方がリセットされた状態であるか否か、または生体情報管理端末Ａおよび生体情報測定機器Ｂの少なくとも一方が故障しているか否かを判定することによっても、上記警告時刻が妥当な時刻であるか否かを判定している。
【００８３】
警告時刻設定部Ａ６５は、警告時刻判定部Ａ６４が警告時刻推定部Ａ６３によって求められた警告時刻を妥当な時刻であると判定した場合に、該警告時刻を示す警告時刻情報を記憶部Ａ２に書き込む。このとき、警告時刻設定部Ａ６５は、警告時刻推定部Ａ６３が求めた欠乏時刻を示す欠乏時刻情報についても、記憶部Ａ２に書き込む。
【００８４】
通知制御部Ａ６６は、現在時刻が警告時刻となったときに、該警告時刻に対応するリソースの交換、充電、補充等をユーザに促すための警告情報の通知を通知部Ａ４に行わせるものである。このため、通知制御部Ａ６６は、通知部Ａ４に警告情報の通知を行わせる通知形態として表示、音、振動、発光等が予め設定されている場合には、該通知形態の何れを用いるかを決定する。すなわち、通知制御部Ａ６６は、催情情報を通知部Ａ４において通知するときに、該通知を行うための通知形態を決定する。そして、通知制御部Ａ６６は、上記決定した通知形態のパターンを用いて、通知部Ａ４において警告情報の通知を行う。
【００８５】
なお、上述のように、生体情報管理端末Ａが携帯型情報端末によって実現されている場合、ユーザは、該生体情報管理端末Ａを携行している場合が多い。このため、生体情報管理端末Ａが携帯型情報端末である場合には、ユーザは、外出等によって生体情報測定機器Ｂから離れている場合であっても、警告時刻に警告通知を受けることができる。
【００８６】
また、生体情報管理端末Ａは、ＰＤＡ、携帯電話等のスケジュール機能を備えた情報端末によって実現されている場合には、該スケジュールに旅行、出張等のキーワードが記載されている場合等、生体情報測定機器Ｂから長期間のデータ受信が見込まれない事態を想定することが可能となる。このため、生体情報管理端末Ａは、上記事態を想定した場合には、予めサンプリングレートを落とす等の対応を取ることで、生体情報測定機器Ｂから受信するデータの欠落を防ぐことが可能となる。
【００８７】
さらに、生体情報管理端末Ａが生体情報測定機器Ｂと分離された構成である場合には、ユーザは、生体情報測定機器Ｂの操作を行うことなく、該生体情報測定機器Ｂのリソース残量を容易に把握することができる。この場合、生体情報管理端末Ａは、例えば操作部Ａ３がユーザの入力操作を取得することによって、生体情報測定機器Ｂから測定機器情報を受信することによって実現される。
【００８８】
〔生体情報管理端末における警告時刻の設定処理〕
次に、生体情報管理端末Ａの制御部Ａ６において実行される警告時刻の設定処理について、図４を用いて説明する。図４は、図１に示す生体情報管理端末Ａにおいて実行される警告時刻の設定処理を示すフローチャートである。
【００８９】
図４に示すように、情報管理部Ａ６１は、生体情報測定機器Ｂから送信される測定機器情報を、通信部Ａ５が受信したか否かを判定する（Ｓ１）。具体的には、通信部Ａ５は、生体情報測定機器Ｂから測定機器情報を受信すると、該測定機器情報を情報管理部Ａ６１に送信する。つまり、情報管理部Ａ６１は、通信部Ａ５から測定機器情報を受信した場合に、測定機器情報を通信部Ａ５が受信したと判定する。
【００９０】
情報管理部Ａ６１は、通信部Ａ５が測定機器情報を受信したと判定した場合、すなわち通信部Ａ５から測定機器情報を受信した場合（Ｓ１でＹｅｓ）、該測定機器情報を記憶部Ａ２に書き込む（Ｓ２）。このとき、情報管理部Ａ６１は、通信部Ａ５から測定機器情報を受信したことを示す受信通知信号を情報判定部Ａ６２に送信する。なお、情報管理部Ａ６１は、通信部Ａ５が測定機器情報を受信していないと判定する場合（Ｓ１でＮｏ）には、Ｓ１の処理に戻る。
【００９１】
情報判定部Ａ６２は、情報管理部Ａ６１から受信通知信号を受信すると、記憶部Ａ２に記憶された測定機器情報を用いて警告時刻の推定を行うことが可能であるか否かを判定する（Ｓ３）。具体的には、情報判定部Ａ６２は、受信通知信号を受信すると、記憶部Ａ２に記憶された測定機器情報を読み出す。そして、情報判定部Ａ６２は、読み出した測定機器情報（Ｓ１にて受信した測定機器情報）に警告時刻の推定に必要な情報が含まれているか否かを判定する。
【００９２】
ここで、警告時刻の推定に必要な情報とは、警告時刻推定部Ａ６３が警告時刻を求めるときに用いる情報、例えば測定機器情報に含まれる測定時刻情報およびリソース残量情報を指す。
【００９３】
なお、生体情報測定機器Ｂが計時部Ｂ１を有していない場合には、測定機器情報には測定時刻情報が含まれていない。この場合には、測定時刻情報の代わりとして、例えば情報管理部Ａ６１が測定機器情報を受信したときの受信時刻（計時部Ａ１によって計時）を受信時刻情報として記憶部Ａ２に記憶してもよい。すなわち、警告時刻推定部Ａ６３は、測定時刻情報の代わりに記憶された受信時刻情報を用いて、警告時刻を求める構成であってもよい。
【００９４】
また、警告時刻推定部Ａ６３が過去に受信した測定機器情報を用いて警告時刻の推定を行う場合（警告時刻の推定方法については後述）には、情報判定部Ａ６２は、上記に加えて、Ｓ１にて受信した測定機器情報が初回受信であるか否かについても判定する。これは、受信した測定機器情報が初回受信である場合には、警告時刻推定部Ａ６３が今回受信した測定機器情報と過去に受信した測定機器情報との差分を求めることができないためである。
【００９５】
すなわち、情報判定部Ａ６２は、受信した測定機器情報が初回受信である場合には、警告時刻の推定を行うことが不可能であると判定する。一方、情報判定部Ａ６２は、該測定機器情報の受信が初回でない（すなわち、今回受信した測定機器情報よりも以前に受信した測定機器情報が記憶部Ａ２に記憶されている）場合には、警告時刻の推定を行うことが可能であると判定する。
【００９６】
なお、生体情報管理端末Ａが複数の生体情報測定機器Ｂ（ｎ）と通信を行い、測定機器情報に機種種別情報が含まれている場合には、情報管理部Ａ６１は、該機種種別情報を用いて、生体情報測定機器Ｂ毎に該測定機器情報を記憶部Ａ２に記憶する。このため、上記において情報判定部Ａ６２は、生体情報測定機器Ｂ毎に、該測定機器情報が初回受信であるか否かを判定する。
【００９７】
情報判定部Ａ６２は、記憶部Ａ２に記憶された測定機器情報を用いて警告時刻の推定を行うことが可能であると判定した場合（Ｓ３でＹｅｓ）、警告時刻の推定を行うことが可能であることを示す推定可能通知信号を警告時刻推定部Ａ６３に送信する。警告時刻推定部Ａ６３は、推定可能通知信号を受信すると、記憶部Ａ２に記憶された測定機器情報に含まれる測定時刻情報および各リソースのリソース残量情報を読み出す（Ｓ４）。そして、警告時刻推定部Ａ６３は、記憶部Ａ２から読み出した測定時刻情報および各リソースのリソース残量情報を用いて、ユーザに対してリソースの交換、充電、補充等を促す時刻として警告時刻を求める（Ｓ５）。
【００９８】
例えば、警告時刻推定部Ａ６３は、上記差分を求めることによって警告時刻を推定する場合には、今回受信した測定機器情報と、過去に受信した測定機器情報とを記憶部Ａ２から読み出し、各リソースのリソース残量が一定値になるときの時刻（警告時刻）を求める。なお、上記測定機器情報は、測定時刻情報および各リソースのリソース残量情報である。また、警告時刻推定部Ａ６３における警告時刻の求め方（警告時刻の推定方法）の具体例については後述する。
【００９９】
また、警告時刻推定部Ａ６３は、各リソースの警告時刻を求めるときに、例えば該警告時刻と同様の求め方で、各リソースのリソース残量が欠乏するときの時刻（欠乏時刻）についても求める。ここで、リソース残量が欠乏するとは、該リソース残量が生体情報測定機器Ｂでの処理に必要な量を満たしていない状況（例えばリソース残量が０）を指す。例えば、バッテリであれば、バッテリ残量が生体情報測定機器Ｂの測定を行うために必要な量を満たしていない状況を指し、記憶部Ｂ３の記憶容量であれば、記憶容量残量が生体情報等を記憶するために必要な量を満たしていない状況を指す。
【０１００】
警告時刻推定部Ａ６３は、各リソースの警告時刻を求めると、該警告時刻を警告時刻情報として警告時刻判定部Ａ６４に送信する。警告時刻判定部Ａ６４は、警告時刻情報を受信すると、警告時刻推定部Ａ６３が求めた警告時刻が妥当な時刻であるか否かを判定する（Ｓ６）。具体的には、警告時刻判定部Ａ６４は、警告時刻が例えば現在時刻の１００年後と求められた場合に該警告時刻が妥当な時刻ではないと判定するために、警告時刻の上限閾値（例えば生体情報測定機器ＢがノートＰＣであり、該ノートＰＣのバッテリ残量であれば２日）が予め設定されている。つまり、警告時刻判定部Ａ６４は、警告時刻推定部Ａ６３で求められた警告時刻が上記上限閾値を超えたと判定した場合に、該警告時刻を妥当な時刻ではないと判定する。
【０１０１】
また、警告時刻判定部Ａ６４は、該警告時刻が該上限閾値を超えたと判定した場合に、該警告時刻が妥当な時刻ではないと判定したが、これ以外にも、例えば、
１．前回受信の測定時刻と今回受信の測定時刻とが大幅に異なっている場合
２．生体情報管理端末Ａの記憶部Ａ２および生体情報測定機器Ｂの記憶部Ｂ３の少なくとも一方に記憶された測定機器情報がリセットされた場合
３．生体情報管理端末Ａおよび生体情報測定機器Ｂの少なくとも一方が故障した場合
には、該警告時刻が妥当な時刻ではないと判定する。ここで、上記１．〜３．の場合に、警告時刻判定部Ａ６４が上記警告時刻を妥当な時刻ではないと判定するまでの処理の一例について説明する。
【０１０２】
上記１．の判定を行う場合には、警告時刻判定部Ａ６４は、前回受信した測定時刻情報と今回受信した測定時刻情報とを記憶部Ａ２から読み出して、これら２つの測定時刻情報に示される測定時刻の差分を求める。そして、警告時刻判定部Ａ６４は、求めた測定時刻の差分と予め設定された差分閾値（例えば生体情報測定機器ＢがノートＰＣであり、該ノートＰＣのバッテリ残量であれば１０時間）とを比較し、該測定時刻が該閾値を超えていると判定した場合には、上記２つの測定時刻が大幅に異なっていると判定する。
【０１０３】
また、上記２．において、情報管理部Ａ６１は、記憶部Ａ２に記憶された測定機器情報がリセットされた場合には、例えば該リセットを行ったことを示す端末リセット通知信号を警告時刻判定部Ａ６４に送信する。一方、生体情報測定機器Ｂの記憶部Ｂ３に記憶された測定機器情報がリセットされた場合には、例えば生体情報測定機器Ｂは、該リセットが行われたことを示す機器リセット通知信号を生体情報管理端末Ａに送信する。そして、生体情報管理端末Ａでは、情報管理部Ａ６１が受信した機器リセット通知信号を警告時刻判定部Ａ６４に送信する。
【０１０４】
すなわち、警告時刻判定部Ａ６４は、情報管理部Ａ６１から端末リセット通知信号または機器リセット通知信号を受信することにより、記憶部Ａ２および記憶部Ｂ３の少なくとも一方に記憶された測定機器情報がリセットされたと判定する。そして、警告時刻判定部Ａ６４は、測定機器情報がリセットされたと判定した場合には、この判定を行った後に警告時刻推定部Ａ６３から受信した警告時刻を妥当な時刻ではないと判定する。
【０１０５】
さらに、上記３．においても同様に、生体情報管理端末Ａまたは生体情報測定機器Ｂが故障した場合には、例えばそれぞれの制御部Ａ６および制御部Ｂ７が自装置の故障を検知する。生体情報測定機器Ｂでは、制御部Ｂ７が、自装置の故障を検知すると、機器故障検知信号を生体情報管理端末Ａに送信する。情報管理部Ａ６１は、生体情報測定機器Ｂから受信した機器故障検知信号を警告時刻判定部Ａ６４に送信する。一方、生体情報管理端末Ａでは、制御部Ａ６が自装置の故障を検知すると、情報管理部Ａ６１に端末故障通知信号を送信する。情報管理部Ａ６１は、この端末故障通知信号を警告時刻判定部Ａ６４に送信する。
【０１０６】
警告時刻判定部Ａ６４は、情報管理部Ａ６１から機器故障検知信号および端末故障通知信号の少なくとも一方を受信することにより、生体情報管理端末Ａまたは生体情報測定機器Ｂが故障したと判定する。そして、警告時刻判定部Ａ６４は、この判定を行った後に警告時刻推定部Ａ６３から受信した警告時刻を妥当な時刻ではないと判定する。
【０１０７】
警告時刻判定部Ａ６４は、警告時刻推定部Ａ６３が求めた警告時刻が妥当な時刻であると判定した場合（Ｓ６でＹｅｓ）、警告時刻情報を警告時刻設定部Ａ６５に送信する。警告時刻設定部Ａ６５は、警告時刻情報を受信すると、該警告時刻情報を記憶部Ａ２に書き込む（Ｓ７）。これにより、生体情報管理端末Ａは、各リソースの警告時刻を適切に設定することができる。
【０１０８】
また、Ｓ６でＹｅｓの場合、警告時刻設定部Ａ６５は、警告時刻推定部Ａ６３が求めた各リソースの欠乏時刻を示す欠乏時刻情報を取得し、該欠乏時刻情報を記憶部Ａ２に書き込む。なお、Ｓ３でＮｏおよびＳ６でＮｏの場合には、警告時刻の設定処理を終了する。
【０１０９】
〔生体情報管理端末における警告通知処理〕
次に、生体情報管理端末Ａの制御部Ａ６が、設定した警告時刻に、ユーザに対してリソースの交換、充電、測定機器情報の送信等を促す処理について図５を用いて説明する。図５は、図１に示す生体情報管理端末Ａの制御部Ａ６が、設定した警告時刻に、ユーザに対してリソースの交換、充電、補充等を促す警告通知処理を示すフローチャートである。
【０１１０】
なお、図５では、ユーザに対してリソースの交換、充電、補充等を促す処理の一例として、ここでは測定機器情報の送信を促す処理について説明する。すなわち、生体情報測定機器Ｂの記憶部Ｂ３の記憶容量が一杯になり、該記憶部Ｂ３に生体情報が記憶できなくなるといった不具合を回避する場合の処理について説明するものである。
【０１１１】
まず、通知制御部Ａ６６は、計時部Ａ１で計時される現在時刻と、警告時刻設定部Ａ６５によって設定された各リソースの警告時刻とが一致するか否かを判定する。そして、通知制御部Ａ６６は、上記現在時刻と警告時刻とが一致したと判定すると、測定機器情報の送信を促すための警告画面を作成して、該警告画面を通知部Ａ４に表示させる。すなわち、通知制御部Ａ６６は、通知部Ａ４において警告表示（警告通知）を行う（Ｓ１１）。
【０１１２】
具体的には、通知制御部Ａ６６は、現在時刻と警告時刻とが一致したと判定すると、ユーザに対する警告を行うための警告画面を作成する。すなわち、通知制御部Ａ６６は、警告対象である生体情報測定機器Ｂ（以降、警告対象機器と称す）および該警告対象機器のリソース（以降、警告対象リソースと称す）の名称と、欠乏時刻とを記憶部Ａ２から読み出し、これらを用いて警告画面を作成する。そして、通知制御部Ａ６６は、作成した警告画面を警告情報として通知部Ａ４に送信して、該警告画面を該通知部Ａ４に表示させる。
【０１１３】
ここで、図６は、通知部Ａ４に表示される警告画面の一例を示す図である。図６に示すように、通知制御部Ａ６６は、警告対象機器および警告対象リソースの名称と、欠乏時刻とを通知部Ａ４に表示させる。例えば、通知部Ａ４には、図６に示すように、警告対象機器名が×、警告対象リソース名が△、欠乏時刻が○年○月○日○時○分の場合に、「○年○月○日○時○分に×（警告対象機器名）の△（警告対象リソース名）が切れます。」とした文章が表示される。
【０１１４】
なお、図５に示す処理には、記憶部Ｂ３の記憶容量の欠乏を回避する処理例が示されているので、通知制御部Ａ６６は、例えば「○年○月○日○時○分に×（警告対象機器名）のメモリ（記憶部Ｂ３）の記憶容量が不足します。」とした文章を含む警告画面を作成する。
【０１１５】
また、図６に示すように、通知制御部Ａ６６は、警告対象機器と近接する生体情報測定機器Ｂ（以下、近接機器と称す）における欠乏時刻が現在時刻に最も近いリソースの警告通知を合わせて行ってもよい。
【０１１６】
この場合には、通知制御部Ａ６６は、上述のように、現在時刻と警告時刻とが一致したと判定したときに、記憶部Ａ２から測定位置情報を読み出し、警告対象機器の位置と最も近い近接機器を検出する。次に、通知制御部Ａ６６は、この近接機器において現在時刻に最も近い欠乏時刻を検索し、該欠乏時刻と該欠乏時刻に対応するリソースの名称とを検出する。そして、通知制御部Ａ６６は、近接機器名およびリソース名と、欠乏時刻とを用いて、警告画面を作成し、該警告画面を通知部Ａ４に表示させる。この結果、図６に示すように、通知部Ａ４には、上記文章の後に「また、周辺には××（近接機器名）があり、△△（近接機器におけるリソース名）が３日後に切れます。」とした文章が表示される。
【０１１７】
なお、図６に示すように、通知部Ａ４には、「（アドバイス）合わせての交換をお勧めします。」とした文章が表示されている。これは、通知制御部Ａ６６が、ユーザが通知部Ａ４の警告画面を見ることによって適切な行動を取ることができるように、ユーザに対してのアドバイス情報を通知部Ａ４に表示させたものである。すなわち、アドバイス情報とは、通知部Ａ４において警告情報と共に通知されるものであり、該警告情報に応じたユーザの行動形態を示すものである。
【０１１８】
これにより、通知制御部Ａ６６は、各リソースに応じたアドバイス情報をユーザに通知することによって、ユーザは、混乱することなく容易にリソースの交換、充電、補充等を行うことが可能となる。
【０１１９】
また、上記では、通知制御部Ａ６６は、文章を用いて作成された警告画面を警告情報（アドバイス情報を含んでもよい）として通知部Ａ４に送信することにより、該警告画面を通知部Ａ４に表示させているが、これに限られたものではない。通知制御部Ａ６６は、文章だけでなく図形を用いて警告画面を作成してもよい。さらに、通知制御部Ａ６６は、振動、音（音声）または発光のパターンを作成することによって、ユーザに対して警告通知を行ってもよい。この場合には、通知制御部Ａ６６は、表示、振動、音および発光の何れの通知形態を用いるかを決定し、該決定した通知形態のパターン（警告画面、振動パターン等）を作成し、通知部Ａ４において該作成したパターンを用いた警告通知を行う。これにより、生体情報管理端末Ａは、ユーザに対して感覚的な警告通知を行うことができる。
【０１２０】
さらに、通知制御部Ａ６６は、警告対象機器毎またはリソース毎に通知方法を変更してもよい。この場合には、生体情報管理端末Ａは、ユーザに対してより感覚的な警告通知を行うことができる。すなわち、ユーザは、音、振動等から警告対象機器またはリソースを割り出すことができる。
【０１２１】
Ｓ１１の処理後、すなわち通知制御部Ａ６６が通知部Ａ４において警告表示を行った後、通知制御部Ａ６６は、生体情報管理端末Ａと警告対象機器との通信が行われ、該警告対象機器から測定機器情報を受信したか否かを判定する（Ｓ１２）。
【０１２２】
具体的には、情報管理部Ａ６１は、通知部Ａ４に警告表示が行われたことを示す警告通知信号を通知制御部Ａ６６から受信する。情報管理部Ａ６１は、警告通知信号を受信した後に警告対象機器からの測定機器情報の受信を待つ。そして、情報管理部Ａ６１は、警告対象機器から測定機器情報を受信すると、該警告対象機器からの受信であることを示す対象受信通知信号を通知制御部Ａ６６に送信する。すなわち、通知制御部Ａ６６は、対象受信通知信号を受信したか否かを判定することにより、警告対象機器から測定機器情報を受信したか否かを判定する。
【０１２３】
通知制御部Ａ６６は、生体情報管理端末Ａと警告対象機器との通信が行われたと判定した場合、すなわち情報管理部Ａ６１から対象受信通知信号を受信した場合には（Ｓ１２でＹｅｓ）、通知部Ａ４における警告表示を終了する（Ｓ１３）。なお、Ｓ１２でＮｏの場合には、Ｓ１１の処理に戻る。
【０１２４】
また、Ｓ１２の処理にて情報管理部Ａ６１が受信した警告対象機器からの測定機器情報は、図４に示すＳ２の処理と同様、記憶部Ａ２に書き込まれる。すなわち、Ｓ１２にて情報管理部Ａ６１が測定機器情報から測定機器情報を受信したために、制御部Ａ６では、図４に示す警告時刻の設定処理が実行される。これにより、警告時刻設定部Ａ６５は、警告対象機器の警告対象リソースの警告時刻および欠乏時刻を更新する（Ｓ１４）。
【０１２５】
これにより、図５に示す処理では、生体情報測定機器Ｂの記憶部Ｂ３の記憶容量が一杯になり、該記憶部Ｂ３に生体情報が記憶できなくなるといった不具合を回避することができる。
【０１２６】
なお、上記では、ユーザに対して測定機器情報の送信を促す処理（すなわち、記憶部Ｂ３の記憶容量の欠乏を回避する処理）について説明したが、これに限らず、生体情報管理端末Ａは、リソースの交換、充電、補充等についても図５に示す処理と同様に処理を行う。
【０１２７】
この場合には、Ｓ１１の処理後、ユーザがリソースの交換、充電、補充等を行った場合には、情報管理部Ａ６１は、例えば該交換等が完了したタイミングで完了通知信号を警告対象機器から受信する。そして、情報管理部Ａ６１は、完了通知信号を受信すると、該完了通知信号を通知制御部Ａ６６に送信する。すなわち、通知制御部Ａ６６は、警告通知後、警告対象機器から情報管理部Ａ６１を介して完了通知信号を受信するまで警告通知を行う。
【０１２８】
なお、上記構成に限らず、情報管理部Ａ６１は、通知制御部Ａ６６による警告通知後、警告対象機器から受信したリソース残量情報の示すリソース残量が増加したと判定した場合には、該警告対象機器においてリソースの交換、充電、補充等が行われたものと判定する。すなわち、情報管理部Ａ６１は、このとき測定機器情報を受信したタイミングで、上記リソースの交換等が行われたと判定し、該交換等が完了したことを示す完了通知信号を通知制御部Ａ６６に送信してもよい。
【０１２９】
以上のように、生体情報管理端末Ａでは、警告時刻推定部Ａ６３は、生体情報測定機器Ｂから送信される測定機器情報を用いて、ユーザに対してリソースの交換、充電、補充等を促す時刻（警告時刻）を求める。そして、通知制御部Ａ６６は、警告時刻推定部Ａ６３が求めた警告時刻になると、ユーザに対して警告通知を行う。
【０１３０】
これにより、生体情報管理端末Ａは、外部装置の本来の機能を損なうことなく、適切なタイミングで、生体情報測定機器Ｂのリソースの交換、充電、補充等を行わせるための警告通知をユーザに対して行うことができる。従って、ユーザは、適切なタイミングでリソースの交換、充電、補充等を行うことができるため、リソースの欠乏を確実に回避することができる。
【０１３１】
すなわち、生体情報管理端末Ａは、適切なタイミングで警告通知を行うため、例えば生体情報測定機器Ｂの記憶部Ｂ３の記憶容量が一杯になり、該記憶部Ｂ３に生体情報が記憶できなくなるといった不具合を回避することができる。また、生体情報管理端末Ａは、生体情報測定機器Ｂのバッテリ不足により、該生体情報測定機器Ｂが生体情報を測定できなくなるといった不具合を回避することができる。
【０１３２】
また、生体情報管理端末Ａが、例えば生体情報測定機器Ｂと常時接続を行わず、操作部Ａ３への入力操作があったとき、または該生体情報測定機器Ｂに近づいたときだけ該生体情報測定機器Ｂと接続を行う場合であっても、生体情報管理端末Ａは、適切なタイミングでユーザに対して警告通知を行うことができる。また、生体情報管理端末Ａが生体情報測定機器Ｂと常時接続を行わない場合、すなわち通信部Ａ５が生体情報測定機器Ｂと散発的に接続される通信路を用いて通信を行う場合には、生体情報管理端末Ａのバッテリの消費電力を抑制することができる。
【０１３３】
なお、生体情報測定機器Ｂが、例えばウェアラブル機器等で、表示、音、振動および発光での通知をユーザに行わせる通知機能を有しない場合であっても、生体情報管理端末Ａは、適切なタイミングでユーザに対して警告通知を行うことができる。
【０１３４】
つまり、上記のような生体情報測定機器Ｂであっても、生体情報管理端末Ａは、通知部Ａ４において警告表示、音、振動または発光による警告通知を行う。このため、生体情報管理端末Ａは、生体情報測定機器Ｂの状態（電源のオン／オフ、通知機能の有無等）によらずに警告通知を行うことができる。従って、生体情報管理端末Ａは、従来から使用されている生体情報測定機器Ｂであっても、該生体情報測定機器Ｂのリソースの欠乏を確実に回避することができる。
【０１３５】
さらに、生体情報管理端末Ａは、生体情報測定機器Ｂから測定機器情報を受信している。このため、生体情報管理端末Ａは、生体情報測定機器Ｂの装着位置（ユーザが生体情報測定機器Ｂを装着している場合）または設置位置をユーザに認識させることができる。すなわち、ユーザは、警告対象機器の装着位置または設置位置を容易に把握することができる。
【０１３６】
この場合、通知制御部Ａ６６は、警告通知を行うときに、記憶部Ａ２から警告対象機器の装着位置または設置位置を読み出す。そして、通知制御部Ａ６６は、例えば予め設定されている人体の概略図または家、病院等の見取図を通知部Ａ４に表示させると共に、警告対象機器の装着位置または設置位置を点滅表示等の該位置を通知する表示を通知部Ａ４に行わせる。これにより、ユーザは、警告対象機器の装着位置または設置位置を容易に把握することができる。
【０１３７】
〔記憶部Ａ２での保存形式および警告時刻の推定方法〕
次に、情報管理部Ａ６１が受信した測定機器情報と、警告時刻設定部Ａ６５が設定した警告時刻とを記憶部Ａ２に記憶するときの記憶部Ａ２における保存形式をについて、図７を用いて説明する。図７は、情報管理部Ａ６１が受信した測定機器情報と、警告時刻設定部Ａ６５が設定した警告時刻とを記憶部Ａ２に記憶するときの記憶部Ａ２における保存形式の一例を示す図である。
【０１３８】
図７に示すように、記憶部Ａ２では、各生体情報測定機器Ｂ（ｎ）からの測定機器情報がそれぞれのテーブルＴ１、Ｔ２、・・・、Ｔ（ｎ）にて管理されている。また、各テーブルＴ１、Ｔ２、・・・、Ｔ（ｎ）には、警告時刻設定部Ａ６５が設定した警告時刻がリソース毎に記憶されている。以下では、図７に示す登録番号０１の体重計用テーブルＴ１を用いて説明する。
【０１３９】
体重計用テーブルＴ１の「タイムスタンプ」には、生体情報測定機器Ｂ（この場合は体重計）の測定部Ｂ２によって生体情報が測定され、該生体情報が制御部Ｂ７によって記憶されたときの時刻が記憶されている。すなわち、「タイムスタンプ」には、生体情報測定機器Ｂから受信した測定時刻情報が記憶される。
【０１４０】
なお、上記「タイムスタンプ」には、測定時刻情報が記憶されているが、これに限らず、上述した受信時刻情報（情報管理部Ａ６１が測定機器情報を受信したときの受信時刻を示す情報）が記憶されてもよい。また例えば、情報管理部Ａ６１が、生体情報測定機器Ｂにおいてリソース残量情報が取得されたときの、該生体情報測定機器Ｂの計時部Ｂ１によって計時された時刻を示す時刻情報を受信し、上記「タイムスタンプ」に該時刻情報を記憶してもよい。すなわち、「タイムスタンプ」には、警告時刻推定部Ａ６３が適切な警告時刻を求めることが可能な時刻が記憶されていればよい。
【０１４１】
「メモリ残量」および「バッテリ残量」には、上記タイムスタンプに示された測定時刻での記憶部Ｂ３の記憶容量の残量および生体情報測定機器Ｂのバッテリのバッテリ残量がパーセント単位で記憶されている。すなわち、「メモリ残量」および「バッテリ残量」には、生体情報測定機器Ｂから受信した記憶容量残量情報およびバッテリ残量情報が上記測定時刻情報に関連付けてそれぞれ記憶される。なお、図７に示す体重計用テーブルＴ１では、リソース残量をパーセント単位で記憶しているが、これに限らず、例えば該リソース残量を直接示す単位（「ワット」、「バイト」、「グラム」、「年」等）で記憶されてもよい。
【０１４２】
「警告時刻」の「メモリ」には、記憶部Ｂ３からの測定機器情報の送信をユーザに促す時刻が記憶されており、「バッテリ」には、生体情報測定機器Ｂのバッテリの交換または充電をユーザに促す時刻が記憶されている。すなわち、「警告時刻」には、警告時刻設定部Ａ６５が設定した各リソースの警告時刻が記憶されている。
【０１４３】
なお、図７に示す体重計用テーブルＴ１には、生体情報測定機器Ｂの記憶部Ｂ３およびバッテリに関する情報が記憶されているが、これに限らず、その他のリソースに関する情報が記憶されていてもよい。すなわち、体重計用テーブルＴ１には、試料残量情報、素子寿命情報等のリソース残量情報と、試料および素子の交換または補充を促す警告時刻とが、上記測定時刻情報と関連付けて記憶されていてもよい。
【０１４４】
また、警告時刻設定部Ａ６５は、警告時刻推定部Ａ６３が警告時刻と共に求めた欠乏時刻についても、記憶部Ａ２に記憶している。このため、体重計用テーブルＴ１には、警告時刻情報と共に欠乏時刻情報が記憶されていてもよい。
【０１４５】
さらに、登録番号０２の歩数計用テーブルＴ２をはじめ、記憶部Ａ２に記憶される各テーブルＴ３、・・・、Ｔ（ｎ）は、体重計用テーブルＴ１と同様に作成される。この場合、情報管理部Ａ６１は、例えば測定機器情報に含まれる機器種別情報を受信したときに、記憶部Ａ２に該機器種別情報に対応するテーブルを作成する。また、情報管理部Ａ６１は、測定機器情報に含まれるリソース残量情報を受信したときに、該リソース残量情報に対応したリソース項目を各テーブルＴ１、・・・、Ｔ（ｎ）に作成する。
【０１４６】
例えば、情報管理部Ａ６１は、測定機器情報を受信すると、該測定機器情報に含まれる機器種別情報から図７に示す体重計用テーブルＴ１等を作成する。そして、情報管理部Ａ６１は、体重計用テーブルＴ１に、受信した測定機器情報に含まれる測定時刻情報と、該測定時刻情報に関連付けられたリソース残量情報とを記憶する。
【０１４７】
すなわち、情報管理部Ａ６１は、受信した機器種別情報を用いて、記憶部Ａ２に記憶されるテーブルを生体情報測定機器Ｂ毎に作成する。そして、情報管理部Ａ６１は、受信した測定機器情報を、該測定機器情報に対応する生体情報測定機器Ｂのテーブルに書き込む。これにより、生体情報管理端末Ａは、警告すべきリソースを有する生体情報測定機器Ｂを確実に特定することができるので、ユーザに対してより確実な警告通知を行うことができる。これは、生体情報管理端末Ａが例えば複数の生体情報測定機器Ｂと通信を行っているときに有効である。
【０１４８】
図７に示す体重計用テーブルＴ１の１行目Ｌ（１）では、タイムスタンプ６０１に「２００７年０２月０３日０８：１２」、メモリ残量６０３に「１００％」と記憶されている。また、体重計用テーブルＴ１の１行目Ｌ（１）に記憶された測定機器情報は、体重計用テーブルＴ１を作成するための最初の測定機器情報である。このため、警告時刻６０５は空白となっている。これは、生体情報管理端末Ａは、体重計用テーブルＴ１の１行目Ｌ（１）に記憶された測定機器情報以前に、体重計から記憶容量情報を含む測定機器情報を受信していないため、警告時刻推定部Ａ６３が警告時刻の推定を行うことができないためである。
【０１４９】
また、上記Ｌ（１）に記憶された測定機器情報の次に受信した測定機器情報は、体重計用テーブルＴ１の２行目に記憶される。図７に示すように、体重計用テーブルＴ１の２行目Ｌ（２）では、タイムスタンプ６０２には「２００７年０２月０４日１８：３６」、メモリ残量６０４には「１４％」と記憶されている。
【０１５０】
さらに、上記Ｌ（２）の警告時刻６０６には、「２００７年０２月０６日０６：３６」と記憶されている。これは、警告時刻推定部Ａ６３によって求められた警告時刻情報であり、該警告時刻情報は、警告時刻設定部Ａ６５によって記憶部Ａ２（ここでは体重計用テーブルＴ１の警告時刻６０６）に記憶されている。具体的には、警告時刻推定部Ａ６３は、タイムスタンプ６０１、６０２の差分と、メモリ残量６０３、６０４の差分から、メモリ残量の時間変化を求め、この時間変化を用いて、予め設定された一定値（ここでは１０％）となるときの時刻（警告時刻）を求める。そして、求めた警告時刻情報は、警告時刻設定部Ａ６５によって記憶部Ａ２に記憶される。
【０１５１】
なお、例えばユーザが生体情報管理端末Ａに測定機器情報を送信させる操作を行った場合には、このとき生体情報管理端末Ａが受信したリソース残量情報に示されるリソース残量は、前回受信したときのリソース残量よりも多くなる。従って、このような場合には、警告時刻推定部Ａ６３は、上記操作が行われた後に受信したときのリソース残量と、以前に警告時刻を求めるときに求めたリソース残量の減衰量とを用いて、警告時刻を求める。
【０１５２】
通知制御部Ａ６６は、図５に示すＳ１１の処理と同様、警告時刻６０６と現在時刻とが一致したと判定する（すなわち警告時刻になる）と、測定機器情報の送信を促すための警告情報を通知部Ａ４に表示させる。そして、図５に示すＳ１３およびＳ１４の処理と同様、情報管理部Ａ６１が体重計から測定機器情報を受信した場合には、通知制御部Ａ６６が通知部Ａ４での警告表示を終了させると共に、警告時刻設定部Ａ６５が警告時刻推定部Ａ６３によって求められた警告時刻を更新する。
【０１５３】
なお、例えば携帯電話の着信待ち受け時の消費電力量のように、生体情報管理端末Ａが所定の確度での定常的な消費電力量の想定を行うことが可能な場合には、警告時刻推定部Ａ６３は、単一の測定機器情報と想定される消費電力量とに基づいて警告時刻を求めてもよい。すなわちこの場合、警告時刻推定部Ａ６３は、過去に受信した測定機器情報を参照することなく警告時刻を求める。
【０１５４】
次に、警告時刻推定部Ａ６３で求められる警告時刻について、図８を用いて説明する。図８は、図７に示す保存形式を一般化した場合を示す図である。なお、図８では、例として体重計用テーブルＴ１を取り上げている。また、図８に示す体重計用テーブルＴ１は、その行数がｎであり、「タイムスタンプ」をｔ、「メモリ残量」をｍ、「バッテリ残量」をｂ、「警告時刻のメモリ」をｔｍ、「警告時刻のバッテリ」をｔｂで示している。また例えば、体重計用テーブルＴ１は、該体重計用テーブルＴ１の１行目Ｌ（１）の「タイムスタンプ」をｔ（１）、ｎ行目Ｌ（ｎ）の「タイムスタンプ」をｔ（ｎ）で示している。
【０１５５】
警告時刻推定部Ａ６３が求める警告時刻には、以下に示す２つのパターンがある。１つのパターン（以降、パターンＸと称す）としては、記憶部Ｂ３（図８ではメモリ）に代表される、生体情報管理端末Ａとの通信によってリソース残量を１００％の状態にすることが可能なもの（但し、ユーザの設定等で記憶部Ｂ３に意図的に測定機器情報を残す場合は１００％とはならない）が挙げられる。そして、もう１つのパターン（以降、パターンＹと称す）としては、生体情報測定機器Ｂのバッテリに代表される、１００％の状態になるまで時間を要するもの（バッテリのメモリ効果によって１００％とならない場合も含む）が挙げられる。
【０１５６】
ここで、パターンＸ、Ｙそれぞれの場合に、警告時刻推定部Ａ６３が警告時刻の推定する方法について説明する。
【０１５７】
パターンＸの場合、警告時刻推定部Ａ６３は、ｎ行目Ｌ（ｎ）における「警告時刻」ｔｍ（ｎ）を、タイムスタンプｔ（ｎ）、ｔ（ｎ−１）およびメモリ残量ｍ（ｎ）、ｍ（ｎ−１）を用いて求める。なお、具体的な警告時刻の推定方法については、上述の図７の説明において述べた通りである。
【０１５８】
また、パターンＹの場合、警告時刻推定部Ａ６３は、ｎ行目Ｌ（ｎ）における「警告時刻」ｔｂ（ｎ）を、生体情報測定機器Ｂのバッテリに充電している時刻およびバッテリの電力消費量が多い時刻を割り出す。すなわち、警告時刻推定部Ａ６３は、上記「警告時刻」ｔｂ（ｎ）を、「タイムスタンプ」ｔ（ｎ）、ｔ（ｎ−１）、・・・、ｔ１と「バッテリ残量」ｂ（ｎ）、ｂ（ｎ−１）、・・・、ｂ１とから上記２つの時刻を割り出す。
【０１５９】
具体的には、警告時刻推定部Ａ６３は、体重計用テーブルＴ１を参照して、バッテリ残量の値が減っている時刻（時間帯）と、該値が増えている時刻（時間帯）を検出する。すなわち、警告時刻推定部Ａ６３は、各測定時刻ｔ（ｎ）、ｔ（ｎ−１）、・・・、ｔ１にそれぞれ対応するバッテリ残量の値ｂ（ｎ）、ｂ（ｎ−１）、・・・、ｂ１を参照することによって、上記２つの時刻（時間帯）を検出する。そして、警告時刻推定部Ａ６３は、この検出した２つの時刻（時間帯）を記憶部Ａ２に記憶する。
【０１６０】
例えば、周期的に夜間充電が行われている場合（夜間にバッテリ残量の値が増えている時間帯）には、警告時刻推定部Ａ６３は、バッテリ残量の値が減っている時間帯と、その時間帯での電力消費量（バッテリ残量の減少量）を求める。そして、警告時刻推定部Ａ６３は、求めた電力消費量と予め設定された一定値（例えば２０％）とを比較し、該時間帯の最終時刻までに該一定値を下回ると判定した場合には、ユーザが前日の夜間に充電を行うことが可能な時刻を警告時刻として求める。
【０１６１】
なお、警告時刻推定部Ａ６３における警告時刻の推定方法は上記に限られたものではない。例えば、生体情報測定機器Ｂに１日毎の生体情報測定パターンが設定されている場合には、警告時刻推定部Ａ６３は、該パターンを加味して警告時刻を求めてもよい。この構成により、警告時刻推定部Ａ６３は、求める警告時刻の精度を向上させることができ、より適切な警告時刻を求めることができる。
【０１６２】
ここで、１日毎の生体情報測定パターンが設定されている場合の例として、生体情報測定機器Ｂが血圧計である場合が挙げられる。血圧測定の場合、該生体情報測定機器Ｂのユーザの血圧変動は、夜間（就寝から起床まで）よりも日中（起床から就寝まで）の方が大きい。このため、上記血圧測定を行う頻度は夜間よりも日中の方が多くなる。つまり、生体情報測定機器Ｂが例えば血圧計の場合、生体情報管理端末Ａは、バッテリ残量および記憶容量の減少量が、夜間よりも日中の方が大きいという生体情報測定パターンを得ることができる。
【０１６３】
〔通知制御部Ａ６６による警告例〕
次に、通知制御部Ａ６６による警告例について、図９を用いて説明する。図９は、通知制御部Ａ６６による警告例を示すものであり、警告情報の通知処理の一例を示すフローチャートである。上述したように、通知制御部Ａ６６は、文章（文字）、図形、音、振動、発光等のパターンを作成することによって、通知部Ａ４において警告通知を行う。すなわち、図９は、通知制御部Ａ６６において、ユーザに通知する確度が高くなるようにこれらの通知パターンが設定されている場合の通知処理を示すものである。
【０１６４】
なお、図５に示すように、通知制御部Ａ６６は、警告通知後に、情報管理部Ａ６１が警告対象機器からの測定機器情報または完了通知信号を受信した場合に、通知部Ａ４における表示、音、振動または発光による警告通知および計時部Ａ１による計時を終了させる。すなわち、通知制御部Ａ６６は、情報管理部Ａ６１から対象受信通知信号または完了通知信号を受信したときに、通知部Ａ４における警告通知および計時部Ａ１における計時を終了させる。
【０１６５】
まず、通知制御部Ａ６６は、現在時刻と警告時刻とが一致したと判定すると、文字を用いた警告画面を作成する。そして、通知制御部Ａ６６は、該警告画面を警告情報として通知部Ａ４に表示（文字表示）させる（Ｓ２１）。
【０１６６】
次に、通知制御部Ａ６６は、Ｓ２１にて警告情報を通知部Ａ４に表示させたときから、予め設定されたＮ１分経過するまでの時間を、計時部Ａ１に計時させる。つまり、通知制御部Ａ６６は、計時部Ａ１に計時させることにより、Ｓ２１にて警告情報を通知部Ａ４に表示させてからＮ１分経過したか否かを判定する（Ｓ２２）。
【０１６７】
通知制御部Ａ６６は、Ｎ１分経過したと判定した場合には（Ｓ２２でＹｅｓ）、通知部Ａ４における文字表示による警告に加えて、振動パターンを作成して数分おきに通知部Ａ４を振動させる（Ｓ２３）。なお、Ｓ２２でＮｏの場合、Ｓ２１の処理に戻る。すなわち、通知制御部Ａ６６は、Ｎ１分経過するまで、文字表示による警告通知だけを通知部Ａ４に行わせる。
【０１６８】
次に、通知制御部Ａ６６は、Ｓ２３にて通知部Ａ４を振動させたときから、予め設定されたＮ２分経過するまでの時間を、計時部Ａ１に計時させる。つまり、通知制御部Ａ６６は、計時部Ａ１に計時させることにより、Ｓ２３にて通知部Ａ４を振動させてからＮ２分経過したか否かを判定する（Ｓ２４）。
【０１６９】
通知制御部Ａ６６は、Ｎ２分経過したと判定した場合には（Ｓ２４でＹｅｓ）、通知部Ａ４における文字表示および振動による警告通知に加えて、音声パターンを作成して数分おきに音声による警告を通知部Ａ４に行わせる（Ｓ２５）。なお、Ｓ２４でＮｏの場合、Ｓ２３の処理に戻る。すなわち、通知制御部Ａ６６は、Ｎ２分経過するまで、文字表示および振動による警告通知を通知部Ａ４に行わせる。
【０１７０】
次に、通知制御部Ａ６６は、Ｓ２５にて通知部Ａ４に音声による警告通知を行わせたときから、予め設定されたＮ３分経過するまでの時間を、計時部Ａ１に計時させる。つまり、通知制御部Ａ６６は、計時部Ａ１に計時させることにより、Ｓ２５にて通知部Ａ４に音声による警告通知を行わせてからＮ３分経過したか否かを判定する（Ｓ２６）。
【０１７１】
通知制御部Ａ６６は、Ｎ３分経過したと判定した場合には（Ｓ２６でＹｅｓ）、音声の音量を上げて音声による警告通知を通知部Ａ４に行わせる（Ｓ２７）。なお、Ｓ２６でＮｏの場合、Ｓ２５の処理に戻る。すなわち、通知制御部Ａ６６は、Ｎ３分経過するまで、通知部Ａ４に文字表示、振動および音声による警告通知を行わせる。
【０１７２】
なお、図９に示すＳ２６およびＳ２７の処理では、通知制御部Ａ６６は、Ｎ３分経過してから音声の音量を上げているが、これに限らず、通知部Ａ４に音声による警告通知を行わせたときから、数分おきに段階的に音量を上げていく構成であってもよい。また、通知制御部Ａ６６は、上述の通知方法に限らず、リソース残量が枯渇するまでの時間またはリソース残量に応じて通知態様を変化させてもよい。
【０１７３】
これにより、通知制御部Ａ６６がユーザに通知する確度が高くなるように通知パターンを制御するので、生体情報管理端末Ａは、より強くユーザにリソースの交換、充電、補充等を促すことができる。
【０１７４】
〔生体情報管理システム１の変形例（電子機器通信システム）〕
次に、生体情報管理システム１の変形例について、図１０を用いて説明する。図１０は、生体情報管理システム１を電子機器通信システムに適用した場合の通知部Ａ４に表示される警告画面の一例を示す図である。
【０１７５】
上記では、本発明の具体的な実施形態として、生体情報管理システム１について説明した。ここでは、生体情報管理システム１と同様のシステムであるが、生体情報の測定、通信および管理を行うだけではない点で生体情報管理システム１と異なる電子機器通信システムについて説明する。
【０１７６】
すなわち、電子機器通信システムでは、生体情報管理端末Ａと同様の機能を有する電子機器管理端末（情報管理装置）が、生体情報測定機器Ｂ以外の電子機器（外部装置）とも通信を行う。つまり、電子機器管理端末が通信を行う電子機器は、該電子機器管理端末に用いられる情報端末以外の情報端末、蛍光灯等、ユーザがそのリソース状況を把握する必要のある電子機器であればよい。
【０１７７】
従って、電子機器管理端末は、図１に示す生体情報管理端末Ａと同様の構成を有する。また、電子機器管理端末と通信を行う電子機器は、その一例が生体情報測定機器Ｂということになる。なお、以下の説明では、電子機器管理端末と生体情報管理端末Ａとが同様の構成を有することから、電子機器管理端末にも参照符号Ａを付し、図１に示す部材を備えているものとする。
【０１７８】
また、電子機器管理端末Ａと通信を行う電子機器は、生体情報測定機器Ｂと同様、リソース残量情報を電子機器管理端末Ａに送信する。ここで、リソース残量情報としては、上述したリソース残量情報と同様、バッテリ残量情報、記憶容量残量情報、試料残量情報、素子寿命情報等が挙げられる。なお、電子機器管理端末Ａと通信を行う電子機器が生体情報を測定する機器でない場合であっても、該電子機器に試料または素子が用いられてもよい。例えば、電子機器管理端末Ａと通信を行う電子機器が蛍光灯である場合には、素子としてフィラメントが用いられる。
【０１７９】
なお、電子機器管理端末Ａにおいても、警告時刻判定部Ａ６４は、警告時刻推定部Ａ６３が求めた警告時刻が妥当な時刻であるか否かを判定する。このため、警告時刻判定部Ａ６４には警告時刻の上限閾値、または差分閾値が設定されている。電子機器管理端末Ａと通信を行う電子機器が蛍光灯である場合、該蛍光灯の素子（フィラメント）寿命であれば、例えば警告時刻の上限閾値は１０年、差分閾値は２ヶ月と設定されている。
【０１８０】
ここで、電子機器管理端末Ａが例えば２階の子供部屋にある電子機器（警告対象機器）のバッテリ残量に関する警告通知を行う場合、通知制御部Ａ６６は、図６に示す警告画面が表示されるときの処理と同様の処理を行うことによって、警告画面を作成し、該警告画面を通知部Ａ４に表示させる。例えば図１０に示すように、通知部Ａ４には、「２階の子供部屋にある×××（電子機器名）のバッテリが３日後に切れます。」とした文章が表示される。
【０１８１】
また、図６に示す警告画面の表示処理のときと同様に、警告対象機器と近接する電子機器（近接機器）における欠乏時刻が現在時刻に最も近いリソースの警告通知を合わせて行ってもよい。例えば、近接機器が蛍光灯であり、この蛍光灯のフィラメントの寿命があと５日である場合、通知部Ａ４には、図１０に示すように、上記文章の後に「蛍光灯も５日で切れます。」とした文章が表示される。
【０１８２】
さらに、図６に示す警告画面の表示処理のときと同様に、通知制御部Ａ６６は、上記警告情報に合わせてアドバイス情報を通知してもよい。例えば、通知制御部Ａ６６が警告対象機器と近接機器とのリソースに対する警告時刻が予め設定された閾値時間よりも小さいと判定した場合には、通知部Ａ４には、図１０に示すように、「（アドバイス）一緒に交換しましょう。」とした文章が表示される。また、電子機器管理端末Ａが、交換が必要となる電子機器または該電子機器の素子等の在庫数を管理している場合には、例えば図１０に示すように、「（アドバイス）・・・しかし、家には蛍光灯の在庫が無いので、買い物の機会に購入しましょう。」とした文書を合わせて通知部Ａ４に表示させてもよい。
【０１８３】
なお、電子機器管理端末Ａが通信を行う電子機器と分離された構成である場合には、ユーザは、電子機器の操作を行うことなく、該電子機器のリソース残量を容易に把握することができる。例えば電子機器がノート型ＰＣである場合、ユーザは、ノート型ＰＣをケースから取り出して起動させた後にリソース残量を確認し、該リソース残量の確認後に電源を落としてケースに戻す、といった一連の操作を行うことなく、該ノート型ＰＣのリソース残量を把握することができる。
【０１８４】
〔補足〕
最後に、本実施形態に係る生体情報管理端末（もしくは電子機器管理端末）Ａの各ブロック、特に情報管理部Ａ６１、情報判定部Ａ６２、警告時刻推定部Ａ６３、警告時刻判定部Ａ６４、警告時刻設定部Ａ６５および通知制御部Ａ６６は、ハードウェアロジックによって構成してもよいし、次のようにＣＰＵを用いてソフトウェアによって実現してもよい。
【０１８５】
すなわち、本実施形態に係る生体情報管理端末（もしくは電子機器管理端末Ａ）は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである生体情報管理端末（もしくは電子機器管理端末Ａ）の制御プログラムのプログラムコード（実行形式プログラム、中間コードプログラム、ソースプログラム）をコンピュータで読み取り可能に記録した記録媒体を、上記生体情報管理端末（もしくは電子機器管理端末）Ａに供給し、そのコンピュータ（またはＣＰＵやＭＰＵ）が記録媒体に記録されているプログラムコードを読み出し実行することによっても、達成可能である。
【０１８６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１８７】
また、本実施形態に係る生体情報管理端末（もしくは電子機器管理端末Ａ）を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１８８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１８９】
本発明に係る情報管理装置は、適切なタイミングで、外部装置における資源が残量不足であることをユーザに対して警告することができるので、例えば外部装置と通信を行う情報端末等に適用できる。特に、本発明に係る情報管理装置は、生体情報の測定を行う生体情報測定機器と通信を行い、該生体情報測定機器の情報を管理する生体情報管理端末として適用できる。
【図面の簡単な説明】
【０１９０】
【図１】本発明に係る生体情報管理端末の概略構成を示す機能ブロック図である。
【図２】生体情報を測定および管理する生体情報管理システムの全体的な概略構成を示す構成図である。
【図３】図２に示す生体情報管理システムに含まれる生体情報測定機器の概略構成を示す機能ブロック図である。
【図４】図１に示す生体情報管理端末において実行される警告時刻の設定処理を示すフローチャートである。
【図５】図１に示す生体情報管理端末の制御部が、設定した警告時刻に、ユーザに対してリソースの交換、充電、補充等を促す警告通知処理を示すフローチャートである。
【図６】図１に示す通知部に表示される警告画面の一例を示す図である。
【図７】図１に示す情報管理部が受信した測定機器情報と、図１に示す警告時刻設定部が設定した警告時刻とを、図１に示す記憶部に記憶するときの該記憶部における保存形式の一例を示す図である。
【図８】図７に示す保存形式を一般化した場合を示す図である。
【図９】図１に示す通知制御部Ａ６６による警告例を示すものであり、警告情報の通知処理の一例を示すフローチャートである。
【図１０】図２に示す生体情報管理システムを電子機器通信システムに適用した場合の、図１に示す通知部に表示される警告画面の一例を示す図である。
【符号の説明】
【０１９１】
Ａ      生体情報管理端末、電子機器管理端末（情報管理装置）
Ａ１    計時部（計時手段）
Ａ４    通知部（通知制御手段）
Ａ５    通信部（受信手段）
Ａ６１  情報管理部（受信手段）
Ａ６３  警告時刻推定部（警告時刻推定手段）
Ａ６６  通知制御部（通知制御手段）
Ｂ      生体情報測定機器（外部装置）
Ｂ３    記憶部（記憶手段）
【図１】
0005208531.tif 000002
【図２】
0005208531.tif 000003
【図３】
0005208531.tif 000004
【図４】
0005208531.tif 000005
【図５】
0005208531.tif 000006
【図６】
0005208531.tif 000007
【図７】
0005208531.tif 000008
【図８】
0005208531.tif 000009
【図９】
0005208531.tif 000010
【図１０】
0005208531.tif 000011